(57)【要約】【課題】収容ケースの内部に貼着された識別シールの識別情報を有用ケースの外側から携帯端末等にて短時間の内に容易に確認することが可能で防犯性の高い遊技機用制御装置を提供する。【解決手段】パチンコ機の背面には、制御装置２０が設置されており、当該制御装置２０においては、上カバー（表側ケース部材３２、かしめカバー部材４２）および下カバー（裏側ケース部材３１、ベース部材４１）によって、ＲＯＭ１０等の制御素子を搭載したメイン制御基板２１が覆われた状態になっている。そして、ＲＯＭ１０の固有識別情報を表示した識別シール５６が、ベース部材４１と表側ケース部材３２とに跨がるように貼着されている。さらに、かしめカバー部材４２には、透明な視認窓９が設けられており、その視認窓９の外面が、かしめカバー部材４２のベース板１５の板面に対して傾斜状になっている。【選択図】図４
2018027380.tif 000002
【特許請求の範囲】
【請求項１】
制御素子を設置した基板が、透明な合成樹脂によって形成されたカバーによって覆われているとともに、前記制御素子の固有識別情報が表示された識別シールが貼着されている遊技機用制御装置であって、
前記カバーが、前記基板を覆う内カバーと、前記内カバーの外側を覆う外カバーとからなり、前記識別シールが前記外カバーに覆われている一方、
前記固有識別情報として、コードリーダーにより読み取り可能な第１の識別情報と、前記第１の識別情報とは形式が異なり、識別に前記コードリーダーを必要としない第２の識別情報とが表示されていることを特徴とする遊技機用制御装置。
【請求項２】
前記外カバーの前記識別シールを覆う箇所が、周囲よりも前記内カバーに近接することによって、周囲に壁体を有する視認窓とされていることを特徴とする請求項１に記載の遊技機用制御装置。
【発明の詳細な説明】
【技術分野】
【０００１】
本発明は、パチンコ機、スロットマシーン等の遊技機に設置される制御装置に関するものである。
【背景技術】
【０００２】
従来、パチンコ機やスロットマシン等の遊技機には、所謂「大当たり抽選」等の遊技に係る制御を実行する制御装置が内蔵されている。そのような制御装置の中には、制御基板を収容する収容ケースの上カバー（カバー部材）と下カバー（ベース部材）とをワンウェイタイプのネジ等により一体化するとともに、工具を用いて当該ワンウェイタイプのネジによる螺着部分を切断しなければ収容ケースを開放できないように構成し、制御基板に対する不正行為（たとえば、改造されたＲＯＭへの差し替え等）の防止機能を高めたものが知られている。
【０００３】
さらに、制御装置の中には、特許文献１の如く、収容ケースの内部において制御基板を内カバーで覆い、所定の識別情報（個別情報）をＱＲコード（登録商標）やバーコード等のコード等によって表示した識別シールを内カバーの表面に貼着するとともに、内カバーの外周を覆う収容ケースを透明な合成樹脂によって形成し、識別シールの識別情報を、収容ケースの外側からコードリーダー等にてチェックすることによって制御装置に対する不正行為を早期に発見可能としたものが提案されている。
【先行技術文献】
【特許文献】
【０００４】
【特許文献１】特開２００９−２８５３２６号公報
【発明の概要】
【発明が解決しようとする課題】
【０００５】
しかしながら、上記の如き従来の遊技機用制御装置においては、コードリーダーによる識別情報の読み取りが困難な場合があった。
【０００６】
本発明の目的は、上記従来の遊技機用制御装置が有する問題点を解消し、識別情報を確実に確認することができる遊技機用制御装置を提供することにある。
【課題を解決するための手段】
【０００７】
上記目的を達成するために、本発明のうち請求項１に記載の発明は、制御素子を設置した基板が、透明な合成樹脂によって形成されたカバーによって覆われているとともに、前記制御素子の固有識別情報が表示された識別シールが貼着されている遊技機用制御装置であって、前記カバーが、前記基板を覆う内カバーと、前記内カバーの外側を覆う外カバーとからなり、前記識別シールが前記外カバーに覆われている一方、前記固有識別情報として、コードリーダーにより読み取り可能な第１の識別情報と、前記第１の識別情報とは形式が異なり、識別に前記コードリーダーを必要としない第２の識別情報とが表示されていることを特徴とする。
請求項２に記載の発明は、請求項１に記載の発明において、前記外カバーの前記識別シールを覆う箇所が、周囲よりも前記内カバーに近接することによって、周囲に壁体を有する視認窓とされていることを特徴とする。
【０００８】
なお、従来の遊技機用制御装置においては、識別シールのコード（識別情報）を読み取る際に、コードリーダーから照射された光が制御装置のケース表面で反射してコードリーダー側へ戻ってきてしまうため、短時間で素早く読み取ることが困難であるという問題があった。そこで、上記従来の遊技機用制御装置が有する問題点を解消し、識別シールのコード（識別情報）を読み取る際に、コードリーダーの照射光がコードリーダー側へ反射する事態が起こらず、短時間で素早く読み取ることが可能で防犯性能に優れた遊技機用制御装置を提供するために、制御素子を設置した基板が、透明な合成樹脂によって形成された上下一対のカバーによって覆われており、上側のカバーの端縁に切断可能な複数のネジ保持部が設けられており、それらのネジ保持部の内の少なくとも１つが、ワンウェイタイプのネジによって下側のカバーに螺着される遊技機用制御装置において、前記制御素子の固有識別情報を表示した識別シールが、前記基板の外側に貼着されているとともに、前記カバーに、前記識別シールを確認するための透明な視認窓が設けられており、その視認窓の外面が、（基板の表面と平行な）カバーのベース面に対して傾斜状に設けられているという第１の構成を採用することも可能である。
そして、そのような第１の構成を採用することにより、ＲＯＭ等の制御素子の固有情報を表示した識別シールを視認するための視認窓が、カバーのベース面に対して傾斜状に設けられているので、識別シールのＱＲコード（登録商標）やバーコード等のコードを読み取る際に、コードリーダーの照射光がコードリーダー側へ反射する事態を効果的に防止して、短時間で素早く読み取ることが可能であり、防犯性能に優れているという効果を奏することができる。
【０００９】
また、上記第１の構成を採用したものにおいて、前記カバーが、基板を直接的に覆う内カバーと、その内カバーの外周を覆う外カバーとからなるものであり、前記視認窓が、前記外カバーに設けられた均一な厚みの板状体であるとともに、前記内カバーに、視認窓の板面と略平行に傾斜した傾斜面が形成されており、その傾斜面に前記識別シールが貼着されているという第２の構成を採用することも可能である。
そして、そのような第２の構成を採用することにより、識別シール全面に亘って視認窓と近接させることができるので、識別シールのコード（識別情報）を読み取る際に、読み取りミスを低減して、より容易に読み取ることが可能となるという効果を奏することができる。
【発明の効果】
【００１０】
本発明によれば、カバーが、基板を覆う内カバーと、内カバーの外側を覆う外カバーとからなり、識別シールが外カバーに覆われている一方、固有識別情報として、コードリーダーにより読み取り可能な第１の識別情報と、第１の識別情報とは形式が異なり、識別にコードリーダーを必要としない第２の識別情報とが表示されている。したがって、たとえばコードリーダーを用いずとも別の手段（目視等）により識別情報を確認することができる。
また、請求項２に記載の発明によれば、外カバーの識別シールを覆う箇所が、周囲よりも内カバーに近接することによって、周囲に壁体を有する視認窓とされている。したがって、コードリーダーにより第１の識別情報を読み取る際に、予期せぬ方向からの光の侵入等の外乱が抑制されるため、正確な読み取りが可能となる。
【図面の簡単な説明】
【００１１】
【図１】パチンコ機の背面を示す説明図である。
【図２】制御装置を示す説明図（正面図）である。
【図３】制御装置を示す説明図（斜視図）である。
【図４】制御装置を分解して示す説明図（斜視図）である。
【図５】分解した内カバーおよびメイン制御基板を拡大して示す説明図（斜視図）である。
【図６】ベース部材を示す説明図（斜視図）である。
【図７】内カバー（およびメイン制御基板）を組み付けた状態を示す説明図（斜視図）である。
【図８】組み付けた内カバー（およびメイン制御基板）に識別シールを貼着した状態を示す説明図（斜視図）である。
【図９】視認窓の設置部分の鉛直断面を示す説明図（図２におけるＡ−Ａ線断面の拡大図）である。
【発明を実施するための形態】
【００１２】
以下、本発明に係る制御装置の一実施形態（パチンコ機へ設置した一実施形態）について、図面に基づいて詳細に説明する。
【００１３】
（１）制御装置の構造
図１は、制御装置を設置したパチンコ機の裏面を示したものである。パチンコ機１の裏側に付設された機構板３の中央よりやや下側には、パチンコ機１の遊技内容を制御ずるための制御装置２０が取り付けられており、当該制御装置２０の外側は、透明な合成樹脂製の裏カバー３０で覆われた状態になっている。
【００１４】
図２は、制御装置２０の正面、鉛直断面を示したものであり、図３は、制御装置２０を斜め上方から見た状態を示したものである。また、図４は、制御装置２０を分解した状態を示したものである。なお、制御装置２０は、正面をパチンコ機１の後方に向けた状態で、機構板３に設置されており、以下の説明における“左右上下”は、特に断り書きがない限り、制御装置２０の正面側（かしめカバー部材側）から見た場合の“左右上下”を言うものとする。制御装置２０は、メイン制御基板２１、メイン制御基板２１を収容可能な裏側ケース部材３１および表側ケース部材３２からなる内カバー２２、当該内カバー２２を収容可能なベース部材４１およびカバー部材４２からなる外カバー２３、不正防止用ビス４４，４４およびそれらのキャップ１１，１１・・、シール切断部材１２等によって構成されている。なお、制御装置２０においては、表側ケース部材３２およびかしめカバー部材４２が上カバーとして機能し、裏側ケース部材３１およびベース部材４１が下カバーとして機能する。そして、それらの表側ケース部材３２、かしめカバー部材４２、裏側ケース部材３１およびベース部材４１は、いずれも透明な合成樹脂によって形成されている。
【００１５】
図５は、内カバー２２およびメイン制御基板２１を示したものであり、内カバー２２は、メイン制御基板２１の裏面を覆う裏側ケース部材３１と、メイン制御基板２１の表面を覆う表側ケース部材３２とを組み付けてなるもので、両ケース部材３１，３２を組み付けることで形成される内部空間にメイン制御基板２１を収容可能となっている。裏側ケース部材３１は、ポリカーボネートにより成形されており、外力が加わっても割れにくいようになっている。また、表側ケース部材３２は、ＡＳ樹脂により成形されており、内カバー２２を強引にこじ開けようとした場合等にドライバー等の先端によって表面に傷がつき易く、不正行為の痕跡が残り易いようになっている。
【００１６】
メイン制御基板２１は、パチンコ機１の遊技内容に係る制御を実行するものであり、表面には、ＲＯＭ１０，ＣＰＵやＲＡＭ（図示せず）等の種々の制御素子が設置されている。また、メイン制御基板２１の表面下部には、メイン制御基板２１を他の電子部材と接続するためのコネクタ２５，２５が設けられている。さらに、メイン制御基板２１の左右側縁部には、内カバー２２内にネジ止めするためのネジ孔２１ａ，２１ａ・・が設けられている。そして、当該メイン制御基板２１は、表面を外側へ向けてコネクタ２５，２５を下方に位置させた状態で、内カバー２２内に収容され固定されている。
【００１７】
一方、表側ケース部材３２は、略中央に外方へ膨出する膨出部を有し、後方側（メイン制御基板２１と対峙した側）を開口させた箱状体である。また、表側ケース部材３２の下部には、メイン制御基板２１のコネクタ２５，２５を露出させるためのコネクタ窓３３，３３・・が穿設されている。また、表側ケース部材３２の下部の左右両端には、係止凹部３４，３４が設けられている。さらに、表側ケース部材３２の上部の左右両端には、ベース部材４１へネジ止めするためのネジ孔を穿設した固定片３５，３５が突設されている。加えて、表側ケース部材３２の上端縁には、一対の鍔片３６ａ，３６ｂが上方へ突設されており、表側ケース部材３２の左右側縁には、一対の押止片３７，３７が外方へ突出するように設けられている。なお、後述するように左側の鍔片３６ａの左端縁際の部分は、平板状のベース板４０の板面に対して、下方から上方にかけて後向きになるように約５°傾斜した状態になっている。加えて、表側ケース部材３２の内面には、裏側ケース部材３１およびメイン制御基板２１をネジ止めするためのネジ受け部（図示せず）が設けられている。
【００１８】
また、裏側ケース部材３１は、表側ケース部材３２の開口と略同じ大きさに形成された板状体であり、表側ケース部材３２の開口内へ嵌め込むようにして組み付けることができるようになっている。当該裏側ケース部材３１の四隅には、表側ケース部材３２と一体化するためのネジ孔３８，３８・・が穿設されている。また、裏側ケース部材３１の下縁には、後方へ突出する凸条部３９が設けられており、表側ケース部材３２と一体化した後でコネクタ窓３３，３３・・周縁からの工具等の差し込み、メイン制御基板２１に設置された各種素子への干渉を防止している。
【００１９】
一方、図４等の如く、外カバー２３は、前方に開口を有するベース部材４１と、当該ベース部材４１の開口を覆うように組み付けられるかしめカバー部材４２とからなるもので、両部材４１，４２を組み付けることで形成される内部空間に内カバー２２を収容可能となっている。ベース部材４１は、ポリカーボネートにより成形されており、外力が加わった際に割れにくく、かつ、不正防止用ビス４４が食い込み易いようになっている。また、かしめカバー部材４２は、アクリル樹脂により成形されており、後ケース３２同様、外カバー２３を強引にこじ開けようとした場合等にドライバー等の先端によって表面に傷がつき易く、不正行為の痕跡が残り易いようにしている。なお、かしめカバー部材４２に使用するアクリル樹脂にはゴム等の樹脂が添加されており、かしめカバー部材４２は、表側ケース部材３２よりも若干傷付きにくくなっており、運搬時等における傷付きや破損等を防止している。
【００２０】
かしめカバー部材４２は、図２〜図４に示すように、平板状のベース板１４の上下左右をベース板１４と直交するように後方に折り曲げた形状を有しており、後方を開口した箱状になっている。そして、上端の上側折返し板１５に設けられた３つの凹状部１６，１６・・の裏側には、嵌入突起１７，１７・・が設けられている（図２参照）。また、かしめカバー部材４２の左側の凹状部１６と中央の凹状部１６との間には、識別シール５６を確認するための平板状の視認窓９が、ベース板１４の板面より後方（図３では下方）に位置するように形成されている。当該視認窓９は、一定幅の帯状部９ａの左側（図３では右側）に矩形部９ｂを連設した形状を有している。
【００２１】
また、かしめカバー部材４２の左右には、六角形状の挿通孔を有するビス挿通部５３ａ，５３ａが設けられており、ワンウェイタイプのねじ（締着する方向へのみ回転可能な木ねじ）である不正防止用ビス４４を挿通可能になっている（なお、本実施形態においては、ビス部材６１と芯部材６２とからなる不正防止用ビス４４を用いている）。それらのビス挿通部５３ａ，５３ａは、ネジ保持部として機能するものであり、ベース部材４１のビス受け部４９に対応して上下に２つ連設されている。各ビス挿通部５３ａ，５３ａは、ニッパ等により切断可能な切断リブ５４，５４・・を介してベース板１４等と連結されており、切断リブ５４，５４・・（図２参照）を切断することによって、かしめカバー部材４２の本体から切り離すことができる。加えて、左右のビス挿通部５３ａ，５３ａの設置部分の下側には、立方体状の嵌合突起５３ｄ，５３ｄが左右に突出するように設けられている。
【００２２】
一方、図６は、ベース部材４１を示したものであり、ベース部材４１は、前板の上下左右縁に沿って上機能部４５、側機能部４６，４６、および下壁部４７をそれぞれ後方へ立設してなるもので、当該上機能部４５、左右の両側機能部４６，４６、および下壁部４７に囲まれた空間４１ａ内に内カバー２２を収容することができるようになっている。上機能部４５には、一対のビス収納部４８，４８が凹設されており、各ビス収納部４８，４８には、ベース部材４１とかしめカバー部材４２とを組み付けるための予備の不正防止用ビス４４が収納可能となっている。
【００２３】
また、上機能部４５の中央および左右両端部には、上面に開口した嵌入凹部４５ａ，４５ａ・・が設けられている（図３（ａ），（ｂ）参照）。一方、各側機能部４６には、４つの支持リブにより円筒部を支持してなる２つのビス受け部４９，４９が上下方向に連設されている。各ビス受け部４９，４９の円筒部は、固着前の不正防止用ビス４４を挿通可能な径とされており、該円筒部の後方は、前板（被覆部）によって被覆状態とされている。また、ビス受け部４９，４９の下方には、下側のビス受け部４９と下壁部４７とを連結するように補強部５０が設けられており、当該補強部５０の左右方向内側には、矩形板状の係止片４３，４３が一体的に形成されている。さらに、空間４１ａの上部位置には、内カバー２２を収容状態でネジ止めするためのネジ止め部５１，５１が設けられている。加えて、片側のネジ止め部５１の外側には、制御装置２０を機構板３の後面側に設置する際に使用する取付部材８０が設置されている。なお、ビス収納部４８内には、不正防止用ビス４４の軸部を挟持する一対の挟持リブ４８ａが設けられている。また、各補強部５０の前方と前板との間には空間が形成されており、かしめカバー部材４２の嵌合突起５３ｄを嵌合可能になっている。
【００２４】
（２）制御装置の組付方法
以下、上記の如く構成された内カバー２２および外カバー２３の組み立てについて説明する。まず、内カバー２２の組み付けに際しては、裏側ケース部材３１を、その前方にメイン制御基板２１を介在させた状態で、後方からネジ２４、２４・・により表側ケース部材３２へネジ止めする（図５等参照）。その際に、メイン制御基板２１も、同ネジ２４、２４・・により、内カバー２２内部において表側ケース部材３２へネジ止めされる。そのように組み付けられると、裏側ケース部材３１が、表側ケース部材３２の開口内へ嵌め込まれた状態となり、強引にこじ開けようとしてもメイン制御基板２１の表面（素子設置面）が露出しにくくなる。
【００２５】
次に、上記の如く組み立てた内カバー２２をベース部材４１に組み付ける。当該組み付けに際しては、予備の不正防止用ビス４４，４４をベース部材４１のビス収納部４８へ収納した後、空間４１ａ内へ内カバー２２を嵌め込み、ネジ５５，５５により固定片３５をネジ止め部５１にネジ止めして組み付ける。図７は、内カバー２２を組み付けたベース部材４１を斜め上方から見た状態を示したものであり、上記の如く組み付けると、内カバー２２の鍔片３６ａ，３６ｂが左右のビス収納部４８の開口を覆った状態となり、内カバー２２の下部では、係止凹部３４に係止片４３が係止した状態となる。また、内カバー２２の後面は、ベース部材４１の内面に当接した状態となる。
【００２６】
しかる後、図８の如く、ＲＯＭ１０に固有の識別情報をＱＲコード（登録商標）によって表示した識別シール５６を、内カバー２２の鍔片３６ａの前面とベース部材４１の上機能部４５の上面（左側の部分）とに跨るように貼着する。このとき、識別シール５６の鍔片３６ａ側の表面に、ＱＲコード（登録商標）（図示せず）を位置させる。また、ＱＲコード（登録商標）（図示せず）の横には、ＱＲコード（登録商標）とは別の形式で識別番号が記載されており、目視で識別番号の確認を可能としている。さらに、同表面には、シールの剥離に使用するような溶液等が付着すると化学反応によって変色する反応部（残痕部）が設けられおり、識別シール５６の不正剥離を防止している。
【００２７】
上記の如くベース部材４１に内カバー２２を組み付け、識別シール５６を貼着した後には、ベース部材４１とかしめカバー部材４２とを不正防止用ビス４４，４４を用いて一体化する。このとき、かしめカバー部材４２は、ベース部材４１の上方から下方へスライドさせ、上側折返し板１５の裏面に突設された３つの嵌入突起１７，１７・・を、各嵌入凹部４５ａ，４５ａ・・内へ嵌入させるとともに、嵌合突起５３ｄ、５３ｄを補強部５０の前方へ嵌合させることによって、ベース部材４１に組み付けられる。そして、左右のビス挿通部５３ａ，５３ａのうちそれぞれ下側のビス挿通部５３ａ，５３ａへ、不正防止用ビス４４を前方（かしめカバー部材４２側）から挿入し、不正防止用ビス４４の先端をベース部材４１のビス受け部４９に係止および食い込ませることにより、ベース部材４１とかしめカバー部材４２とを一体化することによって、外カバー２３の組み付けを完了する。
【００２８】
上記の如く組み付けられた状態においては、メイン制御基板２１が、内カバー２２および外カバー２３により二重に覆われ、コネクタ２５，２５・・のみがコネクタ窓３３，３３・・から露出した状態となる。また、かしめカバー部材４２の裏面に設けられた各種のリブ（図示せず）が、表側ケース部材３２の鍔片３６ａ，３６ｂ、押止片３７，３７、固定片３５や表面に当接しており、かしめカバー部材４２を取り外さない限り、内カバー２２を開放したり、固定片３５をネジ止めしているネジ５５を取り外したり、ビス収納部４８から予備の不正防止用ビス４４を取り出したり、識別シール５６を剥離したりできないようになる。また、かしめカバー部材４２の上側折返し板１５によって、ベース部材４１の上機能部４５の上面も被覆され、識別シール５６に容易に触れることができないようになる。
【００２９】
上記の如く組み付けられた制御装置２０は、取付部材８０，８０等（図４参照）によって、機構板３の後面側に取り付けられる。そして、メイン制御基板２１の検査（たとえば、ＲＯＭ１１のチェック）等のため、再び開放する際には、不正防止用ビス４４により固着状態にあるビス挿通部５３ａの周縁の切断リブ５４，５４・・をニッパ等によって切断する。そのように切断すると、ビス挿通部５３ａとかしめカバー部材４２とが切り離され、ビス挿通部５３ａをベース部材４１側へ残したまま、かしめカバー部材４２をベース部材４１から取り外すことが可能となる。そのため、上記した組み付け手順とは逆の順序でネジ５５，５５を取り外すとともに識別シール５６を剥離して、内カバー２２をベース部材４１から取り出し、ネジ２４，２４・・を外すことにより、メイン制御基板２１の検査を行うことが可能となる。さらに、再び組み付ける際には、上記した手順と略同様の手順により、当初ビス収納部４８，４８へ収納していた予備の不正防止用ビス４４，４４を、当初使用しなかった上側のビス挿通部５３ａ，５３ａへ挿入し、それらの不正防止用ビス４４の先端をベース部材４１のビス受け部４９に係止および食い込ませれば良い。
【００３０】
（３）本発明の特徴部分の説明
上記の如く、かしめカバー部材４２の左側の凹状部１６と中央の凹状部１６との間には、一定幅の帯状部９ａに矩形部９ｂを連設した形状を有する視認窓９が、ベース板１４の板面より後方（図３では下方）に位置するように設けられている。図９は、かしめカバー部材４２視認窓９の設置部分の鉛直断面（図２におけるＡ−Ａ線断面）を示したものであり、視認窓９（帯状部９ａおよび矩形部９ｂ）は、所定の厚み（約２．０ｍｍ）の平板状に形成されている。そして、当該視認窓９は、平板状のベース板１４の板面に対して、下方から上方にかけて後向き（図９では下向き）に約５°傾斜した状態になっている。さらに、視認窓９の矩形部９ｂの左右および下側が、それぞれ、視認窓９の板面に対して垂直な壁体８ａ，８ｂ，８ｃによって囲まれた状態になっている。加えて、図１、図３の如く、視認窓９の帯状部９ａの下側および右側（図３では左側）が、それぞれ、視認窓９の板面に対して垂直な壁体８ｄ，８ｅによって囲まれた状態になっている。
【００３１】
加えて、上記の如く、表側ケース部材３２の左側の鍔片３６ａの左端縁際の部分は、平板状のベース板４０の板面に対して、下方から上方にかけて後向きに約５°傾斜しているため、当該鍔片３６ａの左端縁際の部分が、図９の如く、視認窓９に対して平行に対峙した状態になっている。そのため、ベース部材４１と組み付けられた表側ケース部材３２の鍔片３６ａの左端縁際に貼着された識別シール５６に対して、視認窓９が近接した状態（約３．０ｍｍの距離を隔てた状態）で、平行に配置された状態になっている。
【００３２】
（４）制御装置の効果
制御装置２０は、上記の如く、メイン制御基板２１が、ベース部材４１とかしめカバー部材４２とを組み付けてなる外カバー２３の内部に収容された内カバー２２内に収容されているため、メイン制御基板２１に対して不正行為を働くためには、内カバー２１と外カバー２３との両方をこじ開けたり、穴を空けたりする必要があるため、メイン制御基板２１に対して不正行為を働くことがきわめて困難であり、優れた防犯性を発揮することができる。また、内カバー２２と外カバー２３とに跨るように、固有の識別シール５６が貼着されているため、メイン制御基板２１に対して不正行為を働くためには、識別シール５６の剥離をも行わなければならないので、防犯性が一段と高いものとなっている。
【００３３】
上記した効果に加えて、制御装置２０は、ＲＯＭ１０等の制御素子の固有識別情報を表示した識別シール５６が、メイン制御基板２１の外側に貼着されているとともに、外カバー２３であるかしめカバー部材４２に、識別シール５６を確認するための透明な視認窓９が設けられており、当該視認窓９の外面が、（メイン制御基板２１の表面と平行な）かしめカバー部材４２のベース板１５の板面（ベース面）に対して傾斜状に設けられているため、識別シール５６のＱＲコード（登録商標）（識別情報）を読み取る際に、コードリーダーの照射光がコードリーダー側へ反射する事態を効果的に防止して、短時間で素早く読み取ることが可能であり、防犯性能に優れている。
【００３４】
さらに、制御装置２０は、制御素子を覆うカバーが、メイン制御基板２１を直接的に覆う内カバー２２（表側ケース部材３１および裏側ケース部材３２）と、その内カバー２２の外周を覆う外カバー２３（ベース部材４１およびかしめカバー部材４２）とからなるものであり、視認窓９が、外カバー２３に設けられた均一な厚みの板状体であるとともに、内カバー２２である表側ケース部材３２の鍔片３６ａに、視認窓９の板面と略平行に傾斜した傾斜面が形成されており、その傾斜面に識別シール５６が貼着されている。それゆえ、識別シール５６が、全面に亘って視認窓９と近接した状態になっているので、識別シール５６のＱＲコード（登録商標）を読み取る際に、読み取りミスを低減して、より容易に読み取ることができる。
【００３５】
加えて、制御装置２０は、視認窓９（帯状部９ａおよび矩形部９ｂ）の周囲が壁体８ａ〜８ｅによって覆われているため、識別シール５６のＱＲコード（登録商標）を読み取る際に、予期せぬ方向からの光の侵入等の外乱を抑制して、より正確に読み取ることができる。
【００３６】
また、上述したような制御装置２０をパチンコ機１に設置することで、ＲＯＭ１０等が不正に取り替えられたりするおそれがなく、遊技者が安心して遊技可能なパチンコ機１を提供することができる。
【００３７】
（５）制御装置の変更例
なお、本発明の制御装置は、上記実施形態の態様に何ら限定されるものではなく、基板、上カバー（表側ケース部材、カバー部材）、下カバー（裏側ケース部材、ベース部材）、不正防止用ビス、識別シール、視認窓、ネジ保持部、壁体等の形状、構造、あるいは取付位置、取付方法等の構成を本発明の趣旨を逸脱しない範囲内で適宜変更することができる。
【００３８】
たとえば、本発明の制御装置は、上記実施形態の如く、視認窓をカバーのベース面に対して（下方から上方へかけて後向きに）５°傾斜させたものに限定されず、視認窓の傾斜角度や傾斜方向を、必要に応じて適宜変更することができる。なお、上記実施形態の如く、視認窓をカバーのベース面に対して３°〜１０°の範囲内で傾斜させた場合には、カバーの前後厚みを不用意に厚くしたりする虞れがない上、識別シールのコード（識別情報）を読み取る際にコードリーダーの照射光がコードリーダー側へ反射する事態をより効果的に防止することができる、というメリットがある。加えて、上記実施形態の如く、視認窓を下方から上方へかけて後向きに傾斜させた場合には、識別シールのコード（識別情報）の読み取りを一段と容易なものとすることができる、というメリットがある。
【００３９】
また、本発明の制御装置は、上記実施形態の如く、外カバーおよび内カバーの全体を透明な合成樹脂によって構成したものに限定されず、視認窓のみ、あるいは視認窓を含む一部分のみを透明な合成樹脂によって形成したものに変更することも可能である。加えて、視認窓の設置位置（および識別シールの設置位置）も、上記実施形態の如く、制御装置の上方の端縁に限定されず、必要に応じて適宜変更することができる。加えて、設置窓の形状も、上記実施形態の如く、矩形の平板状に限定されず、円盤状や円形あるいは矩形等のレンズ状等に変更することも可能である。
【００４０】
さらに、本発明の制御装置における識別シールは、上記実施形態の如く、識別情報をＱＲコード（登録商標）によって表示したものに限定されず、ＩＣタグを貼着したものや、バーコード、カラーコード等のＱＲコード（登録商標）以外の方法によって識別情報を表示したもの等に変更することも可能である。
【００４１】
加えて、上記実施形態においては制御装置がパチンコ機用のものである場合の一例について説明したが、本発明に係る制御装置は、スロットマシーンやテレビゲーム等のパチンコ機以外の遊技機用のものであっても良い。
【００４２】
なお、上記実施形態においては、本発明に係る制御装置の一例を示したにすぎず、特許請求の範囲、明細書、図面に記載されたすべての要素（たとえば、基板、上カバー（表側ケース部材、カバー部材）、下カバー（裏側ケース部材、ベース部材）、不正防止用ビス等）、識別シール（識別シール等）、視認窓、ネジ保持部、壁体等は、個数を意識的に限定する明確な記載がない限り、物理的に単一であっても複数であっても構わないし、適宜配置の変更が行われても構わない。また、それらの要素につけられた名称（要素名）は、単に本件の記載のために便宜上付与したにすぎないものであり、それによって特別な意味が生じることを特に意識したものではない。したがって、要素名のみによって要素が何であるかが限定解釈されるものではない。たとえば、「〜装置」は、ハード単体でも、ソフトを含んだものであっても構わない。さらに、上記したすべての要素のうちの複数の要素を適宜一体的に構成するか、もしくは一つの要素を複数の要素に分けて構成するかは、いずれも当業者であれば容易に考えられる事項である。したがって、その程度の範囲内での構成上の差異を有する制御装置を、上記実施形態に記載がなされていないことを理由に採用することのみでは、本発明に係る権利を回避したことにはならない（すなわち、本発明に係る制御装置の技術的範囲から外れるものとしたことにはならない）。その他、各要素の構成や形状等における、上記実施形態から当業者であれば容易に考えられる自明な範囲の差異についても同様である。
【産業上の利用可能性】
【００４３】
本発明の制御装置は、上記の如く、趣向性の高いものであるので、パチンコ機、スロットマシーン等の遊技機用の制御装置として好適に用いることができる。
【符号の説明】
【００４４】
１・・パチンコ機（遊技機）、８ａ〜８ｃ・・壁体、９・・視認窓、１０・・ＲＯＭ、２０・・制御装置、２１・・メイン制御基板、２２・・内カバー、２３・・外カバー、３１・・裏側ケース部材（下カバー）、３２・・表側ケース部材（上カバー）、４１・・ベース部材（下カバー）、４２・・かしめカバー部材（上カバー）、４４・・不正防止用ビス（ワンウェイタイプのネジ）、５３ａ・・ビス挿通部（ネジ保持部）、５６・・識別シール。
【図１】
2018027380.tif 000003
【図２】
2018027380.tif 000004
【図３】
2018027380.tif 000005
【図４】
2018027380.tif 000006
【図５】
2018027380.tif 000007
【図６】
2018027380.tif 000008
【図７】
2018027380.tif 000009
【図８】
2018027380.tif 000010
【図９】
2018027380.tif 000011